(57)【要約】【課題】  簡易な構成により蓋体の開閉を容易且つ確実に行うことができるウェットティッシュ容器を提供する。【解決手段】  操作部材３０の操作により蓋体２０を開放して、容器本体１０に収容したウェットティッシュを取出口１６ａから取り出すことができるウェットティッシュ容器１であって、操作部材３０は、蓋体２０の先端部と係合する係合部３２と、蓋体２０の先端部を押し上げて蓋体２０と係合部３２との係合を解除する押上部３４とを備え、係合部３２が蓋体２０を閉状態に維持する閉止位置と、押上部３４が蓋体２０を開放する開放位置との間で回動可能となるように、容器本体１０に支持されており、容器本体１０は、操作部材３０を開放位置に保持する保持部１９を備える。【選択図】  図４
2015013681.tif 000002
【特許請求の範囲】
【請求項１】
取出口を有する容器本体と、
前記容器本体に回動自在に支持され前記取出口を開閉する蓋体と、
前記蓋体を開放方向に付勢する弾性体と、
前記蓋体を開閉操作する操作部材とを備え、
前記操作部材の操作により前記蓋体を開放して、前記容器本体に収容したウェットティッシュを前記取出口から取り出すことができるウェットティッシュ容器であって、
前記操作部材は、前記蓋体の先端部と係合する係合部と、前記蓋体の先端部を押し上げて前記蓋体と前記係合部との係合を解除する押上部とを備え、前記係合部が前記蓋体を閉状態に維持する閉止位置と、前記押上部が前記蓋体を開放する開放位置との間で回動可能となるように、前記容器本体に支持されており、
前記容器本体は、前記操作部材を前記開放位置に保持する保持部を備えるウェットティッシュ容器。
【請求項２】
前記容器本体は、切欠状の段部を備え、前記段部の対向する側壁の間に前記操作部材を支持しており、
前記段部は、底部に向けて幅狭になるように形成され、幅狭の部分で前記操作部材を挟持可能とすることで前記保持部を構成している請求項１に記載のウェットティッシュ容器。
【請求項３】
前記押上部は、前記操作部材の端部から突出する突片からなり、前記係合部を挟んで両側にそれぞれ配置されている請求項１または２に記載のウェットティッシュ容器。
【発明の詳細な説明】
【技術分野】
【０００１】
本発明は、ウェットティッシュを収納するウェットティッシュ容器に関する。
【背景技術】
【０００２】
一般に、ウェットティッシュ容器は、収容したウェットティッシュの取出口を上部に有する容器本体と、この取出口を回動により開閉する蓋体とを備えており、操作ボタンの操作により蓋体と操作ボタンとの係合が解除されると、蓋体に設けられた弾性体の作用により蓋体が開放されるように構成されている（例えば、特許文献１）。
【先行技術文献】
【特許文献】
【０００３】
【特許文献１】特開２０１０−１１６１９９号公報
【発明の概要】
【発明が解決しようとする課題】
【０００４】
このようなウェットティッシュ容器に対しては、蓋体の開閉を容易に行うことができると共に、ウェットティッシュの含浸液の蒸発を防止するため蓋体を確実に閉止できることが要求される。ところが、従来のウェットティッシュ容器は、このような操作性と閉止性の両立を図るため、操作ボタンやこれを支持する容器本体の取付部の形状・構造が煩雑なものとなり、製造コスト高の要因となっていた。
【０００５】
そこで、本発明は、簡易な構成により蓋体の開閉を容易且つ確実に行うことができるウェットティッシュ容器の提供を目的とする。
【課題を解決するための手段】
【０００６】
本発明の前記目的は、取出口を有する容器本体と、前記容器本体に回動自在に支持され前記取出口を開閉する蓋体と、前記蓋体を開放方向に付勢する弾性体と、前記蓋体を開閉操作する操作部材とを備え、前記操作部材の操作により前記蓋体を開放して、前記容器本体に収容したウェットティッシュを前記取出口から取り出すことができるウェットティッシュ容器であって、前記操作部材は、前記蓋体の先端部と係合する係合部と、前記蓋体の先端部を押し上げて前記蓋体と前記係合部との係合を解除する押上部とを備え、前記係合部が前記蓋体を閉状態に維持する閉止位置と、前記押上部が前記蓋体を開放する開放位置との間で回動可能となるように、前記容器本体に支持されており、前記容器本体は、前記操作部材を前記開放位置に保持する保持部を備えるウェットティッシュ容器により達成される。
【０００７】
このウェットティッシュ容器において、前記容器本体は、切欠状の段部を備え、前記段部の対向する側壁の間に前記操作部材を支持していることが好ましく、前記段部は、底部に向けて幅狭になるように形成され、幅狭の部分で前記操作部材を挟持可能とすることで前記保持部を構成していることが好ましい。
【０００８】
また、前記押上部は、前記操作部材の端部から突出する突片からなり、前記係合部を挟んで両側にそれぞれ配置されていることが好ましい。
【発明の効果】
【０００９】
本発明によれば、簡易な構成により蓋体の開閉を容易且つ確実に行うことができるウェットティッシュ容器を提供することができる。
【図面の簡単な説明】
【００１０】
【図１】本発明の一実施形態に係るウェットティッシュ容器の平面図である。
【図２】前記ウェットティッシュ容器の正面図である。
【図３】前記ウェットティッシュ容器の蓋体を開いた状態を示す平面図である。
【図４】前記ウェットティッシュ容器の蓋体を開いた状態を示す正面図である。
【図５】図１のＡ−Ａ断面に相当する要部拡大図である。
【発明を実施するための形態】
【００１１】
以下、本発明の実施の形態について、添付図面を参照して説明する。図１は、本発明の一実施形態に係るウェットティッシュ容器の平面図であり、図２は、その正面図である。図１及び図２に示すように、ウェットティッシュ容器１は、例えば合成樹脂からなり、筐体状の容器本体１０と、容器本体１０の上部に設けられた蓋体２０および操作部材３０とを備えている。
【００１２】
容器本体１０は、平面視矩形状に形成され、底部に底板１２が設けられている。底板１２の角部には外方に突出する耳部１２ａが設けられており、耳部１２ａを把持して底板１２を容器本体１０に着脱することができる。容器本体１０は、底板１２から上板１１に向けて僅かに先細になるように、側壁がテーパ状に形成されており、内部にウェットティッシュの包装体５０が収容される。包装体５０は、薬液を含浸させた不織布等からなるウェットティッシュの積層体が収納された公知のものを使用することができる。
【００１３】
容器本体１０の上板１１の中央には溝部１４が形成されており、溝部１４の内部に、蓋体２０および操作部材３０が上面面一となるように収容されている。蓋体２０および操作部材３０は、両側に支軸突起２１，２１；３１ａ，３１ｂがそれぞれ設けられている。支軸突起２１，２１；３１ａ，３１ｂは、図５（ａ）に示すように、溝部１４の側壁孔部１２１，１３１と係合しており、容器本体１０に対して回動自在に支持されている。溝部１４の一端側には、溝部１４の底部を更に深く落とし込むように形成された切欠状の段部１５が形成されており、操作部材３０は、この段部１５において対向する側壁の間に支持されている。なお、図５は、図１のＡ−Ａ断面図であり、要部のみを拡大して示している。
【００１４】
図２に示すように、操作部材３０が備える一方の支軸突起３１ａは、他方の支軸突起３１ｂよりも長くなるように形成されており、組立時において、長い方の支軸突起３１ａを先に側壁孔部に挿入することで、支軸突起３１ａ，３１ｂの破損を防止することができる。また、容器本体１０に形成された段部１５は、図２に示す正面視において、上板１１から底板１２に向けて幅狭となるようにテーパ状に形成されており、底板１２側の幅狭の部分が操作部材３０を挟持可能な保持部１９とされている。
【００１５】
図３は、本実施形態のウェットティッシュ容器１の蓋体２０を開いた状態を示す平面図であり、図４は、その正面図である。図３および図４に示すように、容器本体１０の溝部１４の中央には楕円状の凹陥部１６が形成されており、収容したウェットティッシュを取り出すための取出口１６ａが凹陥部１６に形成されている。取出口１６ａの両側には、スリットを介して連通された拡張口１６ｂ，１６ｂが形成されており、折り畳まれたウェットティッシュを取出口１６ａから取り出す際に、拡張口１６ｂ，１６ｂにより強制的に拡げることができ、使い勝手を良好にすることができる。
【００１６】
蓋体２０は、支軸突起２１，２１を備える基部とは反対側の先端部に、係止突起２２，２２が設けられており、係止突起２２，２２の両側に係止溝２４，２４が形成されている。また、蓋体２０の裏面側には、蓋体２０を閉じたときに容器本体１０の凹陥部１６に挿入される挿入筒２６が設けられており、容器本体１０を密閉してウェットティッシュの含浸液の揮散を防止することができる。
【００１７】
蓋体２０の基部と容器本体１０との間には、蓋体２０を開放方向に付勢する弾性体４０が設けられている。弾性体４０は、細長状に形成されたシリコーンゴムなどからなるゴム板であり、一端側が容器本体１０に取り付けられ、他端側が押さえ部材４２により蓋体２０の裏面側に固定されている。弾性体４０は、蓋体２０を閉じたときに折り畳まれて容器本体１０の溝部１４に形成された収容部１７に収容されることにより、無理な力が作用することによる弾性体４０の劣化を防止することができ、付勢力を長時間良好に維持することができる。容器本体１０の溝部１４には、突状のストッパ１８が設けられており、蓋体２０の起立状態で蓋体２０の基部にストッパ１８が係合することで蓋体２０が過度に開くおそれがなく、支軸突起２１，２１等の破損を防止することができる（図５（ａ）参照）。
【００１８】
操作部材３０は、蓋体２０の回動面に沿って回動するように蓋体２０に隣接して配置されており、蓋体２０と対向する側に係合部３２，３２および押上部３４,３４を備えている。係合部３２，３２および押上部３４，３４は、いずれも蓋体２０に向けて突出する突片から構成されており、それぞれ蓋体２０の係止突起２２，２２および係止溝２４，２４に係合するように配置されている。操作部材３０の支軸突起３１ａ，３１ｂは、蓋体２０と対向する側に設けられており、支軸突起３１ａ，３１ｂと反対側の縁部が、操作部材３０の回動操作を行う押圧部３８とされている。また、操作部材３０は、図５に示すように、回動時に段部１５と係合して操作部材３０の回動範囲を規制する回動規制片３９を備えている。
【００１９】
上記の構成を備えるウェットティッシュ容器１は、図４に示すように蓋体２０が開放された状態において、操作部材３０は押圧部３８が押し下げられて、保持部１９に保持される。このように操作部材３０が開放位置にある状態で、図５（ａ）に示すように蓋体２０を矢示方向に回動させると、蓋体２０の係止溝２４が操作部材３０の押上部３４と係合し、開放位置にあった操作部材３０が、図５（ｂ）に示すように閉止位置まで回動する。また、蓋体２０の係止突起２２は、操作部材３０の係合部３２と係合し、両者の弾性変形により係止突起２２が係合部３２を乗り越えて、蓋体２が閉じられる。
【００２０】
弾性体４０は、図５（ａ）に示すように、一端側が収容部１７内の挟持部に取り付けられ、他端側に押さえ部材４２のパイプ部４２ａが貫通して固定されている。この状態から蓋体２０を閉じると、図５（ｂ）に示すように、弾性体４０が、弾性変形により折り畳まれた状態で収容部１７に収容される。この状態から操作部材３０の押圧部３８を押し下げると、押上部３４が蓋体２０の係止溝２４を押し上げて、係止突起２２と係合部３２との係合を解除する。この結果、弾性体４０の伸びによって蓋体２０が開放され、操作部材３０は開放位置に保持される。
【００２１】
このように、本実施形態のウェットティッシュ容器１は、操作部材３０を操作して閉止位置から開放位置に回動させると、蓋体２０が自動的に開放されると共に、操作部材３０が保持部１９により開放位置に保持される。したがって、次の蓋体２０を閉める動作を利用して、蓋体２０の係止突起２２を操作部材３０の係合部３２に確実に係合させて、蓋体２０を閉じた状態を維持することができるので、蓋体２０の開閉をワンタッチで容易且つ確実に行うことができる。蓋体２０と操作部材３０との係合は、本実施形態では係止突起２２および係合部３２をいずれも凸状に形成して行っているが、いずれか一方を凹状に形成してもよく、係合および係合解除を確実に行うことが可能であれば、その形状は特に限定されるものではない。また、操作部材３０の押上部３４についても、蓋体２０の一部と係合可能であれば、必ずしも係合溝２４に係合させる必要はない。
【００２２】
保持部１９は、本実施形態においては段部１５の対向する側壁の幅狭部分で操作部材３０を挟持するように構成することで、構成の簡素化を図っているが、操作部材３０の開放位置への回動により操作部材３０と容器本体１０とを係合させる他の係合手段により、保持部１９を構成することも可能である。
【００２３】
また、本実施形態では、係合部３２を挟んで両側に押上部３４を設けることで、蓋体２０を閉じる際に蓋体２０の幅方向の撓み変形を利用して、係合部３２を蓋体２０の先端部に確実に係合させるように構成しているが、係合部３２と押上部３４との位置関係は、必ずしも本実施形態のものには限定されない。
【符号の説明】
【００２４】
１  ウェットティッシュ容器
１０  容器本体
１５  段部
１６ａ  取出口
１９  保持部
２０  蓋体
３０  操作部材
３２  係合部
３４  押上部
４０  弾性体
【図１】
2015013681.tif 000003
【図２】
2015013681.tif 000004
【図３】
2015013681.tif 000005
【図４】
2015013681.tif 000006
【図５】
2015013681.tif 000007